(57)【要約】  従来、携帯型端末装置においては、複数の画像を順次切り替えることによって動画を実現することが行われている。しかし、切り替えに用いる複数の画像を携帯型端末装置内に蓄積しておくことが必要となるという課題がある。  本発明は、選択が検知されたアイコンに対応するアイコン画像情報を加工し、この新アイコン画像情報に基づいてアイコン画像を連続表示する携帯型端末装置である。このとき、表示終了後加工したアイコン画像は消去され、携帯型端末装置に保持しないため、携帯端末装置の少ないメモリを消費することはない。また、選択が検知されたアイコンに対しては部分的な加工のみを行うとしてもよい。  さらに、検知されたアイコンに対応するアイコン画像情報のうち、アイコンの色を示す情報や、輝度を示す情報の全部または一部を変更し多様な表示を実現する。【特許請求の範囲】
【請求項１】
アイコンが選択されている間にそのアイコンが動き続ける動画アイコンが表示される画面を有する動画アイコン表示電子機器。
【請求項２】
画面上にアイコンを表示する電子機器であって、前記画面上のアイコンが選択されたことを検知するためのアイコン選択検知部と、前記アイコン選択検知部で選択が検知されたアイコンに関連付けられたアイコン画像情報であって、前記検知が継続されている間に動き続ける動画アイコン画像情報を取得する動画アイコン画像情報取得部と、前記動画アイコン画像情報取得部が取得した動画アイコン画像情報を表示するための動画アイコン画像表示部と、を有する動画アイコン表示電子機器。
【請求項３】
前記動画アイコン画像情報をアイコン識別情報に関連付けて保持する動画アイコン画像情報保持部をさらに有する請求項２に記載の動画アイコン表示電子機器。
【請求項４】
前記動画アイコン画像情報は、複数の動画アイコン画像情報が一のアイコン識別情報に関連付けられている請求項３に記載の動画アイコン表示電子機器。
【請求項５】
前記動画アイコン画像情報取得部は、前記動き続ける動画アイコンの中で静止画を形成する静止画部分情報を取得する静止画部分情報取得手段と、
前記動き続ける動画アイコンの中で動画のみを形成する動画部分情報を取得する動画部分情報取得手段と、
を有する請求項２から４のいずれか一に記載の動画アイコン表示電子機器。
【請求項６】
前記動画部分情報取得手段が取得する動画部分情報は、複数のアイコンに対して共通である請求項５に記載の動画アイコン表示電子機器。
【請求項７】
前記動画アイコン画像情報を前記検知が継続されている間であってもその動きを停止させるための停止情報を取得する停止情報取得部をさらに有し、
前記動画アイコン画像連続表示部は、前記停止情報取得部が前記停止情報を取得した際には前記動きを停止する請求項２から６のいずれか一に記載の動画アイコン表示電子機器。
【請求項８】
前記停止情報は、省電力モードに入った際に取得される請求項７に記載の動画アイコン表示電子機器。
【請求項９】
前記動画アイコン画像情報による動画の動きは所定の時間で循環する循環型動画アイコン画像情報である請求項２から８のいずれか一に記載の動画アイコン表示電子機器。
【請求項１０】
前記電子機器が携帯電話である、請求項１から９のいずれか一に記載の動画アイコン表示電子機器。
【請求項１１】
画面上にアイコンを表示する電子機器の動作方法であって、前記画面上のアイコンが選択されたことを検知するためのアイコン選択検知ステップと、前記アイコン選択検知ステップで選択が検知されたアイコンに対応するアイコン画像情報であって、前記検知が継続されている間に動き続ける動画アイコン画像情報を取得する動画アイコン画像情報取得ステップと、前記動画アイコン画像情報取得ステップにて取得された動画アイコン画像情報を表示する動画アイコン画像表示ステップと、を有する動画アイコン表示方法。
【請求項１２】
画面上にアイコンを表示する携帯型端末装置であって、前記画面上に表示すべきアイコンの画像情報を保持するアイコン画像情報保持部と、前記画面上のアイコンが選択されたことを検知するためのアイコン選択検知部と、前記アイコン選択検知部で選択が検知されたアイコンに対応するアイコン画像情報を、前記アイコン画像情報保持部から取得して加工し、複数の異なる新アイコン画像情報からなる選択時表示アイコン画像群情報を生成する選択時表示アイコン画像群情報生成部と、前記選択時表示アイコン画像群情報生成部で生成された選択時表示アイコン画像群情報に含まれる新アイコン画像情報に基づくアイコン画像を表示する選択時表示アイコン画像表示部と、を有する携帯型端末装置。
【請求項１３】
前記選択時表示アイコン画像群情報生成部での前記生成は、
前記選択時表示アイコン画像連続表示部での一表示ごとに順次生成され、表示終了後消去される請求項１２に記載の携帯型端末装置。
【請求項１４】
前記選択時表示アイコン画像群情報生成部は、アイコン選択検知部で選択が検知されたアイコンの部分的な加工をする部分加工手段を有する請求項１２又は１３のいずれか一に記載の携帯型端末装置。
【請求項１５】
前記アイコン選択検知部で選択が検知されたアイコンに対応しないアイコン画像情報を、前記アイコン画像情報保持部から取得して加工し、複数の異なる新アイコン画像情報からなる非選択時表示アイコン画像群情報を生成する非選択時表示アイコン画像群情報生成部をさらに有する請求項１２から１４のいずれか一に記載の携帯型端末装置。
【請求項１６】
前記画面上のアイコンを表示していない部分である背景を構成する画像である背景画像情報を表示する背景画像情報表示部と、
前記アイコン選択検知部で選択が検知された場合に、前記背景画像情報表示部の表示を変更する背景画像情報表示変更部と、
をさらに有する請求項１２から１５のいずれか一に記載の携帯型端末装置。
【請求項１７】
前記選択時表示アイコン画像群情報生成部は、
前記選択が検知されたアイコンに対応するアイコン画像情報のうち、アイコンの色を示す情報であるアイコン色情報の全部または一部を変更するアイコン色情報変更手段を有する請求項１２から１６のいずれか一に記載の携帯型端末装置。
【請求項１８】
前記選択時表示アイコン画像群情報生成部は、
前記選択が検知されたアイコンに対応するアイコン画像情報のうち、アイコンの輝度を示す情報であるアイコン輝度情報の全部または一部を変更するアイコン輝度情報変更手段を有する請求項１２から１７のいずれか一に記載の携帯型端末装置。
【請求項１９】
アイコン画像情報取得部を有し、前記アイコン画像情報取得部が取得したアイコン画像情報は、前記アイコン画像情報保持部に保持される請求項１２から１８のいずれか一に記載の携帯型端末装置。
【請求項２０】
前記選択時表示アイコン画像群情報生成部は、アイコン選択検知部で選択が検知されたアイコンの画像中、輝度が大きい部分を抽出するアイコン画像内アイテム抽出手段と、前記アイコン画像内アイテム抽出手段にて抽出されたアイコン画像内アイテムに対してキラキラマークを表示するキラキラマーク表示手段と、を有する請求項１２から１９いずれか一に記載の携帯型端末装置。
【請求項２１】
前記キラキラマーク表示手段は、前記キラキラマーク表示手段により表示されるキラキラマークが、アイコン選択検知部にて前回選択が検知されたアイコンから、アイコン選択検知部にて今回選択が検知されたアイコンに対して飛行する形態で移動して表示されるようにするための飛行キラキラ表示器を有する請求項２０に記載の携帯型端末装置。
【請求項２２】
前記選択時表示アイコン画像群情報生成部は、
アイコン選択検知部で選択が検知されたアイコンの画像中に波紋を形成する波紋形成手段を有する請求項１２から２１のいずれか一に記載の携帯型端末装置。
【請求項２３】
前記携帯型端末装置は、電話機能を有する請求項１２から２２のいずれか一に記載の携帯型端末装置。
【請求項２４】
画面上に表示すべきアイコンの画像情報を保持するアイコン画像情報保持部を有する携帯型端末装置の動作方法であって、前記画面上のアイコンが選択されたことを検知するためのアイコン選択検知ステップと、前記アイコン選択検知ステップで選択が検知されたアイコンに対応するアイコン画像情報を、前記アイコン画像情報保持部から取得して加工し、複数の異なる新アイコン画像情報からなる選択時表示アイコン画像群情報を生成する選択時表示アイコン画像群情報生成ステップと、前記選択時アイコン画像群情報生成ステップにて生成された選択時表示アイコン画像群情報に含まれる新アイコン画像を連続出力する選択時表示アイコン画像連続表示ステップと、を有する携帯型端末装置の動作方法。
【発明の詳細な説明】
【技術分野】
【０００１】
本発明は、大きく分けて第一の発明群と第二の発明群との２つから構成される。第一の発明群は、アイコンが選択されている間は、そのアイコンが動き続けるように構成した点に特徴のひとつを有する発明群であり、第二の発明群は、動くアイコンを表示するにもかかわらず動画ファイルを保持する必要がないように構成した点に特徴のひとつを有する発明群である。
【背景技術】
【０００２】
従来、携帯型端末装置においては、アイコンが動くことでそのアイコンが選択されたことを示す場合には、複数の画像を順次切り替えることによって動画を実現することが行われている。また、アイコン画像と付加情報を外部のサーバなどからネットワークを介してダウンロードし、そのアイコン画像を付加情報に基づいて表示、変更等させるアイコン設定システムはすでに存在する（特許文献１、２参照）。
【特許文献１】特開２００３−００５９４６号公報  しかしながら、上記複数の画像を順次切り替える手法によれば、切り替えに用いる複数の画像を携帯型端末装置内に蓄積しておくことが必要であり、有限の資源のうちの相当部分をこの画像の蓄積に費やすことになるという課題がある。また、すでに蓄積されている画像を用いてアイコンが動画として実現されるのみであり、利用者にとって既製の画像は飽きが生じやすいといえるが、利用者が独自に撮影・創作等した画像を用いてオリジナルのアイコンの動画を作成し利用することは困難である。一方、付加情報に基づいてアイコン画像を表示、変更等する手法によれば、アイコンの変更等を行いたい場合にネットワークを介してサーバから必要なデータをダウンロードすることが必要であり、煩雑である。
【発明の開示】
【課題を解決するための手段】
【０００３】
第一の発明群は、請求項１から１１に係る発明で、アイコンが選択されている間にそのアイコンが動き続ける動画アイコンが表示される画面を有する動画アイコン表示電子機器などに関する。動画アイコンの表示は、他のアイコンが選択されるまで、あるいは電子機器が省電力モードに入るまで行われる。その間中動画を表示し続けるために、動画を循環して表示しても良い。また動画は背景部分の静止画と、動画部分とを組み合わせて生成しても良い。【０００４】
第二の発明群は、請求項１２から２４に係る発明で、選択が検知されたアイコンに対応するアイコン画像情報を加工し、この新アイコン画像情報に基づいてアイコン画像を連続表示する携帯型端末装置である。このとき、アイコン画像の一表示ごとにアイコン画像が順次生成され、表示終了後消去されるとし、生成後の新アイコン画像情報等は携帯型端末装置に保持しないため、携帯端末装置の少ないメモリを消費することはない。また、選択が検知されたアイコンに対しては部分的な加工のみを行うとしてもよい。さらに、選択が検知された場合にそのアイコンに対応しないアイコン画像情報や、背景を構成する背景画像情報に対しても画像の加工や変更を行う場合もある。また、検知されたアイコンに対応するアイコン画像情報のうち、アイコンの色を示す情報や、輝度を示す情報の全部または一部を変更するとしてもよい。【０００５】
一方第二の発明群は、携帯型端末装置で撮影等して取得することで、アイコンを表示するためのアイコン画像情報を取得することも可能である。他方、選択が検知されたアイコンの画像中、輝度が大きい部分を抽出し、その抽出したアイコン画像内アイテムに対してキラキラマークを表示することや、キラキラマークが、前回選択が検知されたアイコンから、今回選択が検知されたアイコンに対して飛行する形態で移動して表示されること、選択が検知されたアイコンの画像中に波紋を形成することなども実現できる。
【発明の効果】
【０００６】
第一の発明群に関して説明する。動画アイコンの表示が瞬間的である場合は、ユーザーがその動きを見逃した場合にはどのアイコンが選択されたのかわかりにくいが、第一の発明群に係る動画アイコン表示電子機器は、アイコンが選択されている間中、動画アイコンが動き続けることで、どのアイコンが選択されたのか判別しやすいという効果がある。【０００７】
第二の発明群に係る携帯型端末装置は、選択されたアイコンが煌く等の視覚的効果を伴い表示されるため、携帯端末装置の表示画面は小さく、どのアイコンが選択されたのか判別しやすい。また、加工後の新アイコン画像情報等は携帯型端末装置に保持しないことから、携帯端末装置の少ないメモリを消費することなく動画の表示を実現でき、効率的である。また、アイコンの一部に対して加工を行う場合には、アイコンの全体に対して加工を行うよりも自然な動きの動画表示を実現でき、携帯端末装置における処理負担を軽くし、処理を高速化することができるという効果を得られる。さらに、選択されたアイコンだけでなく、選択されていないアイコンや背景の画像、選択されたアイコン画像の色や輝度に対しても加工等が可能となることで、アイコン選択に伴う動画表示のバリエーションを高め、選択されたアイコンをより強調することができる。【０００８】
また、第二の発明群は、使用者が撮影等して取得した画像を用いて、自由にアイコンを作成し、動画として表示させることができ、携帯型端末装置の付加的機能として利用価値があるといえる。また、輝度が大きい部分にキラキラマークが表示されれば、明るい部分をより強調できることになり、キラキラとした感じを自然に向上させることができる。キラキラマークが、前回選択が検知されたアイコンから、今回選択が検知されたアイコンに対して飛行する形態で移動して表示される場合には、キラキラマークが比較的長く表示されることから、どのアイコンが選択されたのかの判別が容易になる。さらに、選択されたアイコン画像に対して波紋を形成することが可能となることで、アイコン選択に伴う動画表示のバリエーションを高め、選択されたアイコンをより強調することができる。
【発明を実施するための最良の形態】
【０００９】
以下に、各発明を実施するための最良の形態を説明する。なお、本発明はこれら実施の形態に何ら限定されるものではなく、その要旨を逸脱しない範囲において、種々なる態様で実施しうる。【００１０】
<第一の発明群>
実施形態１は、主に請求項１について説明する。実施形態２は、主に請求項２及び１１について説明する。実施形態３は、主に請求項３について説明する。実施形態４は、主に請求項４について説明する。実施形態５は、主に請求項５について説明する。実施形態６は、主に請求項６について説明する。実施形態７は、主に請求項７について説明する。実施形態８は、主に請求項８について説明する。実施形態９は、主に請求項９について説明する。実施形態１０は、主に請求項１０について説明する。【００１１】
<第二の発明群>
実施形態１１は、主に請求項１２及び２４について説明する。実施形態１２は、主に請求項１３について説明する。実施形態１３は、主に請求項１４について説明する。実施形態１４は、主に請求項１５について説明する。実施形態１５は、主に請求項１６について説明する。実施形態１６は、主に請求項１７について説明する。実施形態１７は、主に請求項１８について説明する。実施形態１８は、主に請求項１９について説明する。実施形態１９は、主に請求項２０について説明する。実施形態２０は、主に請求項２１について説明する。実施形態２１は、主に請求項２２について説明する。実施形態２２は、主に請求項２３について説明する。【００１２】
<<実施形態１>>
<実施形態１：概念>
本実施形態は、アイコンが選択されている間にそのアイコンが動き続けることで、ユーザーにアイコンが表示されていることを効率的に伝えることのできる動画アイコン表示電子機器に関する。図１に実施形態１の概念を表した図を示す。図で示した電子機器の画面上には4つのアイコンが示されている。ユーザーが右上のカメラのアイコンを選択したとする（１）。電子機器はカメラのアイコンに対応する動画アイコン画像情報を取得する（２）。続いて取得した動画アイコン画像情報を画面に表示する（３）。動画アイコン画像情報の表示は、アイコンを選択している間はずっと継続して行われるが、例えばユーザーが他のアイコンを選択したときなどは、動画アイコン画像情報の表示を終了し、元のアイコン画像情報を表示する（４）。【００１３】
<実施形態１：構成>  本実施形態の機能ブロック図の一例を図２に示した。図２に示す本実施形態の「電子機器」（０２００）は、「画面」（０２０１）を構成要件としている。この画面は、アイコンが選択されている間にそのアイコンが動き続ける動画アイコンが表示される画面である。【００１４】
本件発明に言う「電子機器」（０２００）とは、画面上に動画アイコンを表示することが可能な電子機器をいう。例えば、携帯電話、PDA、ノートパソコン、デスクトップパソコンなどがこれに該当する。【００１５】
「画面」（０２０１）とは、電子機器の有する情報及び指示をユーザーに視覚的に伝えるためのインターフェースである。具体的には、液晶、発光ダイオードなどを使って画像や文字を表示することのできるインターフェースである。そして、前記のようにアイコンを表示する機能、表示されたアイコンを利用者に選択させるための機能、選択されたアイコンをその選択が継続している間中動かし続ける機能に基づいて動画アイコンを表示する機能、を有している。【００１６】
アイコンとは、プログラムやファイルなどにアクセスするための画面上の標識をいう。アイコンが選択されているとは、ポインティングデバイス（例えばマウス、ポインティングパッド、タッチパネル、携帯電話の十字キー、テンキーなど）が指示したポインティンググラフィック領域（カーソル、矢印などの示す領域）が、アイコン上に移動した状態を指す場合と、アイコン上に移動し、かつマウスがクリックされた状態を指す場合の両者、又はいずれかであってもよい。またポインティングデバイスは、マウスに限定されるものではなく、いかなる種類のものであってもよい。【００１７】
動画アイコンとは、アイコンを表す画像情報のうち、動き続けるものをいう。動き続けるとは画像が変化し続ける状態が、ユーザーの目で確認できる状態をいう。動きが途中で一時的に止まっても、ユーザーの目で見て変化の様子がわかる状態であれば動き続けていることになる。動画アイコンの画像情報は、BMP、JPG、GIFなどの静止画形式の画像ファイルを複数集めて構成されるものでも良いし、MPG、AVI、RAMなどの動画形式の画像ファイル１つのみから構成されていても良く、またアナログ形式のものでも良い。動画アイコンはアイコンと同じ位置に表示されても良いが、アイコンとは別の位置に表示されても良い。アイコンとは別の位置に動画アイコンが表示されても、アイコンと何らかの関連があることがユーザーに伝えることができれば、動画アイコンを表示することでアイコンが選択されたことをユーザーに伝えることができるからである。【００１８】
<実施形態１：処理の流れ>  図３は、本実施形態での処理の流れの一例を示したものである。本実施形態の動画アイコン表示電子機器の動作方法は、以下に示すステップよりなる。【００１９】
まず、アイコン選択検知ステップ（Ｓ０３０１）で、アイコンが選択されたことを検知するための処理を行う。ここでは、ユーザーがアイコンにポインティンググラフィック領域を合わせたときに、アイコンが選択されたことを検知したとの判断結果が出力され、以下のステップの処理が行われる。このとき、アイコン識別情報も同時に出力される。ユーザーがアイコンを選択しなかったときは、アイコンが選択されたことを検知していないとの判断結果が出力され、以下の処理は行われない。【００２０】
動画アイコン画像情報取得ステップ（Ｓ０３０２）では、アイコンが選択されたことを検知した後に、アイコン識別情報に対応する動画アイコン画像情報を取得する。続いて、動画アイコン画像表示ステップ（Ｓ０３０３）において、取得された動画アイコン画像情報に基づいて動画アイコンを画面に表示する。動画アイコンの表示はアイコンの選択が終了したとの判断結果が出力されるまで（Ｓ０３０４）続けられる。アイコンの選択が終了したとの判断結果が出力されたときは、動画の表示を停止する（Ｓ０３０５）。アイコンの選択が終了したとの判断結果が出力される場合として、他のアイコンを選択したとき、アイコンに対応するプログラムが起動して画面が切り替わったときなどがある。【００２１】
<実施形態１：効果>  本実施形態では、アイコンが動き続けることで、そのアイコンが選択されたことをユーザーに確実に伝えることができる。【００２２】
<<実施形態２>>
<実施形態２：概念>  本実施形態も実施形態１と同様に、アイコンが選択されている間にそのアイコンが動き続けることで、ユーザーにアイコンが選択されていることを確実に伝えることのできる動画アイコン表示電子機器に関する。【００２３】
<実施形態２：構成>  本実施形態での機能ブロックの一例を図４に示した。図１に示す本実施形態の「動画アイコン表示電子機器」（０４００）は、「アイコン選択検知部」（０４０１）と、「動画アイコン画像情報取得部」（０４０２）と、「動画アイコン画像表示部」（０４０３）とからなる。【００２４】
本件発明の構成要素である各部は、ハードウエア、ソフトウエア、ハードウエアとソフトウエアの両者、のいずれかによって構成される。たとえば、これらを実現する一例として、コンピュータを利用する場合には、ＣＰＵ、メモリ、バス、インターフェイス、周辺装置などから構成されるハードウエアと、これらのハードウエア上にて実行可能なソフトウエアを挙げることができる。具体的には、メモリ上に展開されたプログラムを順次実行することで、メモリ上のデータや、インターフェイスを介して入力されるデータの加工、蓄積、出力などにより各部の機能が実現される。（本明細書の全体を通じて同様である。）
「動画アイコン表示電子機器」（０４００）とは、画面上に動画アイコンを表示することが可能な電子機器をいう。例えば、携帯電話、PDA、ノートパソコン、デスクトップパソコンなどがこれに該当する。【００２５】
「アイコン選択検知部」（０４０１）は、画面上のアイコンが選択されたことを検知する。ユーザーが電子機器のポインティングデバイスを操作し、いずれかのアイコンを選択した場合に、アイコンを識別する情報と関連付けてそのアイコンが選択されたことを検知する。検知の結果出力される情報は、アイコンが選択されたことを示す情報と、どのアイコンが選択されたかを示すアイコン識別情報である。【００２６】
「動画アイコン画像情報取得部」（０４０２）は、アイコン選択検知部で出力されたアイコン識別情報に基づいて動画アイコン画像情報を取得する。「動画アイコン画像情報」とは、ポインティングデバイスにより指示されるポインティンググラフィック領域によって選択可能であるアイコンの全部又は一部を構成するための情報であり、動画アイコン画像（カラー、白黒を問わない）をデジタル形式の情報として表したものである。必ずしも、動画アイコン画像情報のみによってアイコンの全体が表示される必要はない。動画アイコン画像情報にはさらに、アイコン識別情報と関連付けるための情報が含まれている。動画アイコン画像情報は、BMP、JPG、GIFなどの静止画形式の画像ファイルを複数集めて構成されるものでも良いし、MPG、AVI、RAMなどの動画形式の画像ファイル１つのみから構成されていても良い。取得方法としては、外部との通信機能により画像情報を取得する方法、電子機器が自ら作成した画像情報を取得する方法、電子機器が予め画像を保持しておき、その画像を使用する方法、などがある。【００２７】
「動画アイコン画像表示部」（０４０３）は、動画アイコン画像情報取得部で取得された画像情報を画面に表示するための処理をする。すなわち、動画アイコン画像情報に対応する輝度、色合いなどの情報を液晶、発光ダイオードなどを用いて視覚的に表示する。【００２８】
<実施形態２：処理の流れ>  本実施形態の処理の流れは実施形態１と同様なので省略する。【００２９】
<実施形態２：効果>  携帯電話などの電子機器の画面は小さいため見づらく、ユーザーにとってはどのアイコンが選択されたのかわからない場合がある。本実施形態の動画アイコン表示電子機器によれば、選択されたアイコンが動画で表示され、瞬時的ではなくアイコンの選択中ずっと表示されるため、画面が小さくても選択されたアイコンがどれかがわかりやすい。【００３０】
<<実施形態３>>
<実施形態３：概念>  本実施形態は、動画アイコン画像情報を自己の電子機器内に、アイコンと関連付けて保持する動画アイコン表示電子機器に関する。【００３１】
<実施形態３：構成>  本実施形態での機能ブロックの一例を図５に示した。図５に示す本実施形態の「動画アイコン表示電子機器」（０５００）は、「アイコン選択検知部」（０５０１）と、「動画アイコン画像情報保持部」（０５０２）と、「動画アイコン画像情報取得部」（０５０３）と、「動画アイコン画像表示部」（０５０４）とからなる。【００３２】
「アイコン選択検知部」（０５０１）は、画面上のアイコンが選択されたことを検知し、そのアイコンに対応するアイコン識別情報を出力する。図５の例では、メールのアイコンが選択されたので、アイコン識別情報（アイコン００２）が出力される。【００３３】
「動画アイコン画像情報保持部」（０５０２）は、画面上に表示する動画アイコン画像情報を動画アイコン表示電子機器内に記憶する。動画アイコン画像情報は、アイコン識別情報によりアイコンと関連付けられて保持される。このようにするのは、動画アイコン画像情報を取得するときに、複数ある動画アイコン画像情報のうちどれを取得すれば良いか、認識できるようにするためである。図５の例では、アイコン識別情報００１〜００３に対応して動画情報MPG００１〜００３が保持されている。アイコン識別情報は固定されていても良いが、ユーザーの意思で変更できるものでも良い。図５の例では当初アイコン００１に対してMPG００１、アイコン００２に対してMPG００２が関連付けられているが、ユーザーがこれを変更して、アイコン００１に対してMPG００２、アイコン００２に対してMPG００１を関連付けさせても良い。動画アイコン画像情報は、電子機器に内蔵されているハードディスク、取り出し可能なスマートメディア、ICカード、ICチップなどに保存することができる。【００３４】
「動画アイコン画像情報取得部」（０５０３）は、アイコン選択検知部で出力されたアイコン識別情報に基づいて「動画アイコン画像情報保持部」（０５０２）に保持されている動画情報を取得する。図５の例では、選択したアイコン識別情報（アイコン００２）に対応して、動画アイコン画像情報（MPG００２）を取得する。【００３５】
「動画アイコン画像表示部」（０５０４）は、「動画アイコン画像情報取得部」（０５０３）で取得された動画アイコン画像情報に基づいて動画を画面に表示する。図５の例では、MPG００２に基づく動画が画面に表示される。【００３６】
<実施形態３：処理の流れ>  本実施形態では、実施形態１の動画アイコン画像情報取得ステップ（Ｓ０３０２）において、動画アイコン画像情報を動画アイコン画像情報保持部から取得する。その他の処理の流れは実施形態１と同様である。【００３７】
<実施形態３：効果>  表示すべき動画アイコン画像情報を電子機器が予め保持しているので、表示の際に生成する必要がない。従って、動画像の生成という負担の重い計算をする必要がないので、コンピュータ資源を他の処理に利用でき、さらにサービスを充実させることもできる。【００３８】
<<実施形態４>>
<実施形態４：概念>  本実施形態は、一つのアイコンを選択すると、複数の動画情報を合成して一の動画情報が生成され、生成した動画情報に基づいて動画を表示する動画アイコン表示電子機器に関する。【００３９】
<実施形態４：構成>  本実施形態の機能ブロックの一例を図６に示した。図６に示す本実施形態の「動画アイコン表示電子機器」（０６００）は、「アイコン選択検知部」（０６０１）と、「動画アイコン画像情報保持部」（０６０２）と、「動画アイコン画像情報取得部」（０６０３）と、「動画アイコン画像表示部」（０６０４）とからなる。【００４０】
「アイコン選択検知部」（０６０１）は、画面上のアイコンが選択されたことを検知し、そのアイコンに対応するアイコン識別情報を出力する。図６の例では、メールのアイコンを選択し、それに対応するアイコン識別情報（アイコン００２）が出力される。【００４１】
「動画アイコン画像情報保持部」（０６０２）では、１つのアイコン識別情報に対応して複数の動画情報が保持されている。動画情報は複数のアイコン識別情報に関連付けられていても良い。図６の例では、アイコン識別情報（アイコン００２）に関連して動画情報MPG００２とMPG１０２とが保持されている。【００４２】
動画アイコン画像情報取得部」（０６０３）では、選択したアイコンに対応する複数の動画情報を「動画アイコン画像情報保持部」（０６０２）から読み出し、それらを合成して新しい動画情報を取得する。また合成せずとも、複数の動画情報を切れ目なく連続的に表示することで新しい動画アイコンを表示できる。このように複数の動画情報の組み合わせが可能となるので、少ない動画アイコン画像情報しか保持していなくとも、多くのバリエーションのある動画アイコンの表示が可能となる。また、組み合わせ方は、必ずしも二つの動画アイコン画像情報を組み合わせるのみでなく、３以上の動画アイコン画像情報を組み合わせてもよい。図６の例では、MPG００１とMPG１０２とを合成して、新しい動画情報MPG２０１を取得する。実施形態３と同様に、アイコン識別情報はユーザーの意思で変更することができるものでも良い。この場合、画面に表示される動画の組み合わせは、ユーザーの意思で選択することができる。図６の例では、MPG００１の次にMPG１０２が表示されるように合成されるが、アイコン識別情報（アイコン００２）を変更することで、MPG１０２の次にMPG００１が表示されるように合成しても良い。【００４３】
「動画アイコン画像表示部」（０６０４）は、動画アイコン画像情報取得部」（０６０３）で取得した動画アイコン画像情報に基づく動画を表示する。ここで、取得した複数の動画アイコン画像情報の表示の仕方は画一的である必要はなく、場合によって複数の動画アイコン画像情報の表示順位、表示部分、表示時間の長さなどにバリエーションを持たせてもよい。これらの表示のバリエーションによって、たった二つの動画アイコン画像情報を利用するにもかかわらず、多くのバリエーションで動画アイコンの表示が可能となる場合もある。【００４４】
<実施形態４：処理の流れ>  本実施形態では、図３の動画アイコン画像情報取得ステップ（Ｓ０３０２）において、動画アイコン画像情報を動画アイコン画像情報保持部から複数取得する。その他の処理の流れは実施形態１と同様である。【００４５】
<実施形態４：効果>  本実施形態では、一つのアイコンを選択したときに、複数の動画が表示されるため、ユーザーにとっては画像のバリエーションを楽しむことができる。【００４６】
<<実施形態５>>
<実施形態５：概念>  本実施形態は、動く部分のみを表示するための情報と、静止画部分のみを表示するための情報とを合成して動画アイコン画像情報を生成する機能を有する動画アイコン表示電子機器に関する。【００４７】
<実施形態５：構成>  本実施形態での機能ブロックの一例を図７に示す。図７に示す本実施形態の「動画アイコン表示電子機器」（０７００）は、「アイコン選択検知部」（０７０１）と、「動画アイコン画像情報保持部」（０７０２）と、「動画アイコン画像情報取得部」（０７０３）と、「動画アイコン画像表示部」（０７０４）とからなる。さらに「動画アイコン画像情報取得部」（０７０３）は、「静止画部分情報取得手段」（０７０５）と、「動画部分情報取得手段」（０７０６）とを有する。【００４８】
「アイコン選択検知部」（０７０１）は、画面上のアイコンが選択されたことを検知し、そのアイコンに対応するアイコン識別情報を出力する。図７の例では、画面上に表示されているカメラのアイコンを選択し、それに対応するアイコン識別情報（アイコン００３）が出力される。【００４９】
「動画アイコン画像情報保持部」（０７０２）では、１つのアイコン識別情報に対し、動画部分情報と静止画部分情報とが関連付けられている。図７の例では、アイコン識別情報（アイコン００３）に対してJPG００３という識別情報で識別される静止画部分情報と、MPG００３という識別情報で識別される動画部分情報とが関連付けられている。【００５０】
「静止画部分情報取得手段」（０７０５）は、動画アイコン画像情報のうち、時間的に変化しない部分の静止画部分情報を取得する。静止画部分情報として、例えば背景画像情報がこれに相当する。静止画部分情報は、BMP、JPG、GIFなどの形式で表される。図７の例では、亀の絵で表されるJPG００３が静止画部分情報である。この静止画部分情報は、動画アイコン画像情報保持部に保持されていてもよいし、それ以外の部分から取得されるように構成されていてもよい。【００５１】
「動画部分情報取得手段」（０７０６）は、動画アイコン画像情報のうち、時間的に変化する部分のみの画像情報である、動画部分情報を取得する。図７の例では、星が動いているMPG００３で識別される情報が動画部分情報である。動画アイコン画像のうち動いている部分は一部なので、動画部分情報はアイコン全体を動画とするよりも容量が小さくなる場合がある。【００５２】
「動画アイコン画像情報取得部」（０７０３）が取得する動画アイコン画像情報は、静止画部分情報と動画部分情報とを合成した情報である。即ち、動画アイコン画像情報は、本実施形態の場合には、静止画部分情報と動画部分情報と、からなっている。図７の例では、亀の静止画（JPG００３）と動く星の動画（MPG００３）を組み合わせた動画を表すMPG１０２で識別される情報が取得された動画アイコン画像情報である。なお、動画部分情報と、静止画部分情報とにより動画アイコン画像情報を取得するとは、両者を合成する形態であってもよいし、両者を別々に取得して、次に説明する動画アイコン画像表示部にて重ねて表示するように処理する形態であってもよい。【００５３】
「動画アイコン画像表示部」（０７０４）は、「動画アイコン画像情報取得部」（０７０３）が取得した動画情報に基づく動画を画面に表示する。図７の例では、ＪＰＧ００３で識別される亀の静止画部分情報で表されるべき画像にMPG００３で識別される動画部分情報に基づいて表されるべき画像が同時に画面に表示される。この表示された画像が動画アイコンに該当する。なお、これ以外に動画アイコンを構成する部分があることを排除するものではない。【００５４】
<実施形態５：処理の流れ>  図８は、本実施形態での処理の流れの一例を示したものである。アイコン選択検知ステップ（Ｓ０８０１）は実施形態１と同様である。アイコン選択検知ステップ（Ｓ０８０１）で出力されたアイコン識別情報に基づいて、動画部分情報と静止画部分情報とを取得する（Ｓ０８０２）。続いて動画部分情報と静止画部分情報とを合成して動画アイコン画像情報を生成する（Ｓ０８０３）。その後の処理は実施形態１と同様である。【００５５】
<実施形態５：効果>  本実施形態では、動画アイコン画像情報を、静止画部分情報と動画部分情報との組み合わせで生成するため、動画アイコン画像情報を全て動画情報として取得するよりも、容量を小さくすることができる。このようにすることで、電子機器の記憶容量を節約することができる。また、動画情報の読み取りに多くの時間を費やさないことから、動画の表示速度が速くなり、滑らかな動きの画像を表示することができる。【００５６】
<<実施形態６>>
<実施形態６：概念>  本実施形態は、動画情報を構成する動画部分情報と静止画部分情報のうち、1つの動画部分情報を複数のアイコンに対して共通して使う動画アイコン表示電子機器に関する。図９は本実施形態の概念の一例を示すものである。図９のAでは、アイコン選択検知部はカメラのアイコンが選択されたことを検知する。次にカメラのアイコンに関連付けられたカメラの静止画部分情報と、動画部分情報であるきらきらマークとを合成し、合成した動画を画面に表示する。また図９のBでは、電子機器は時計のアイコンが選択されたことを検知する。次に時計のアイコンに対応する静止画と、動画であるきらきらマークとを合成し、合成した動画を画面に表示する。カメラのアイコンを選択したときと、時計のアイコンを選択したときに表示される動画は互いに異なっているが、動画部分であるきらきらマークは共通している。常に選択されたアイコンに動画のきらきらマークが表示されるようにすると、一見してどのアイコンが選択されたのか利用者には容易に判別できる。なお、本来、動画アイコン画像は、アイコン毎に変えてよいし、背景などに依存して個々のアイコン毎に変えても良いし、複数のアイコンを共通して変化させても良い。【００５７】
<実施形態６：構成>  本実施形態での機能ブロック図の一例を図３０に示した。「動画アイコン画像情報保持部」（３００２）が保持する一の動画部分情報は複数のアイコン識別情報に関連付けられている。動画アイコン表示電子機器が有するアイコン識別情報の全てが一の動画部分情報と関連付けられていても良いし、一部のアイコン識別情報が一の動画部分情報と関連付けられていても良い。図９の例では、アイコン００１〜００３で表されるアイコン識別情報にはMPG００３で表される動画部分情報が関連付けられており、アイコン００４で表されるアイコン識別情報にはMPG００４で表される動画部分情報が関連付けられているが、全てのアイコン識別情報（アイコン００１〜００４）にMPG００３で表される動画部分情報が関連付けられても良い。【００５８】
その他の構成については実施形態５と同様である。【００５９】
<実施形態６：処理の流れ>  本実施形態の処理の流れは、実施形態５と同様なので省略する。【００６０】
<実施形態６：効果>  本実施形態では、動画部分情報を複数のアイコンで共通して使うことで、アイコンが選択されたことをより確実にユーザーに伝えることができる。すなわち、一の動画部分情報が、アイコンが選択されたことを示すことをユーザーに記憶させるため、その動画部分情報に対応する動画が表示されたとき、ユーザーはアイコンが選択されたことを反射的に察知することになる。また、一つの動画部分情報を複数のアイコンに対して使用するため、保持する動画部分情報を少なくすることができ、電子機器の記憶容量を節約することもできる。【００６１】
<<実施形態７>>
<実施形態７：概念>  本実施形態は、電子機器が動画アイコンの表示を停止させるための何らかの情報を取得したときは、動画アイコンの表示を終了することのできる動画アイコン表示電子機器に関する。なお、この時停止時にアイコンだけ表示しても良いし、一部の動画アイコン（例えば最後の画面）を表示したまま停止しても良い。【００６２】
<実施形態７：構成>  本実施形態での機能ブロックの一例を図１０に示す。図１０に示す本実施形態の「動画アイコン表示電子機器」（１０００）は、「アイコン選択検知部」（１００１）と、「動画アイコン画像情報保持部」（１００２）と、「動画アイコン画像情報取得部」（１００３）と、「停止情報取得部」（１００４）と、「動画アイコン画像表示部」（１００５）とからなる。さらに、「動画アイコン画像情報取得部」（１００３）は、「静止画部分情報取得手段」（１００６）と、「動画部分情報取得手段」（１００７）とを有する。【００６３】
「停止情報取得部」（１００４）は、停止情報を取得したときは、「動画アイコン画像表示部」（１００５）によって表示されている動画アイコン画像の表示を停止するための処理を行う。動画アイコン画像の表示を停止した後は、アイコン選択を検知する前の静止画、動画アイコン画像情報のうちの静止画１コマなどを画面に表示する。「停止情報取得部」（１００４）は、停止情報を取得した後に、再開情報を取得し、動画アイコン画像を再び表示させても良い。その他の構成は実施形態６と同様である。【００６４】
<実施形態７：処理の流れ>  図１１は、本実施形態での処理の流れの一例を示したものである。本実施形態の動画アイコン表示電子機器の動作方法は、以下に示すステップよりなる。【００６５】
アイコン選択検知ステップ（Ｓ１１０１）及び動画アイコン画像情報取得ステップ（Ｓ１１０２）は、実施形態１と同様である。本実施形態ではさらに、動画アイコン画像が画面に表示されている間に、「停止情報取得部」（１００４）が停止情報を取得したかどうかを判断し（Ｓ１１０３）、停止情報を取得した場合には動画アイコン画像の表示を停止する（Ｓ１１０５）。停止情報を取得しない場合は、そのまま動画アイコン画像情報を表示する（Ｓ１１０４）。動画アイコン画像を画面に表示している際にも、停止情報を取得したときは停止情報の取得は、動画アイコン画像の表示を停止する。停止情報の取得は、例えば動画アイコン画像の表示を開始してから一定時間が経過した後や、ユーザーが他のアイコンを選択したときなどに行われる。【００６６】
<実施形態７：効果>  本実施形態により、アイコンが選択されていても、状況に応じて動画アイコン画像の表示を停止することができ、無駄なメモリ、電力を消費することがない。【００６７】
<<実施形態８>>
<実施形態８：概念>  本実施形態は、電子機器が省電力モードに入った際に、動画アイコンの表示を停止する、動画アイコン表示電子機器に関する。もちろん、省電力モードであっても画面が真っ暗になるのではなく、うっすらと判別できる場合もあり、動画アイコンを動かし続けても良い。【００６８】
<実施形態８：構成>  本実施形態での機能ブロックの一例を図１０を用いて説明する。【００６９】
本実施形態では、「動画アイコン表示電子機器」（１０００）が省電力モードに入ったとき、「停止情報取得部」（１００４）が停止情報を取得する。その他の構成は、実施形態７と同様である。省電力モードとは、携帯電話などが電力を節約するために、一定時間ユーザーが操作しない場合には画面を暗くする状態をいう。停止情報は、省電力モードに入るのと同時に取得しても良いし、省電力モードに入る直前に取得しても良い。【００７０】
<実施形態８：処理の流れ>  本実施形態の処理の流れは、実施形態７と同様なので省略する。【００７１】
<実施形態８：効果>  本実施形態では、省電力モード時には、動画アイコン画像表示を停止することができ、電子機器をより効率的に省電力化することができる。【００７２】
<<実施形態９>>
<実施形態９：概念>  本実施形態は、動画の動きが所定の時間で循環する動画アイコン表示電子機器に関する。【００７３】
<実施形態９：構成>  本実施形態での機能ブロックの一例は図１０と同様である。「動画アイコン画像表示部」（１００５）では、「動画アイコン画像情報取得部」（１００３）で取得された動画アイコン画像情報を循環して表示する。すなわち動画が終了した場合、動画の最初から再度画面に表示する。例えば、動画アイコン画像情報が画像１から画像５の５つの静止画で構成される動画情報であるとすると、画面では画像１から画像５までを順次表示し、画像５の次に画像１を再度表示する。そしてこの動作を繰り返すため、停止情報が取得されるまで画面には動画が表示されることになる。【００７４】
<実施形態９：処理の流れ>  図１２は、本実施形態での処理の流れの一例を示したものである。本実施形態の動画アイコン表示電子機器の動作方法は、以下に示すステップよりなる。アイコン選択検知ステップ（Ｓ１２０１）及び動画アイコン画像情報取得ステップ（Ｓ１２０２）は実施形態１と同様である。ここでは動画アイコン画像情報が、画像１〜５の５つの静止画により構成されているとして、画像１から順次画面に表示していく（Ｓ１２０３〜Ｓ１２０７）。画像５の表示終了後、画像１を再度表示して、この動作を繰り返す。なお、画像表示中に停止情報を取得したときは、Ｓ１２０３〜Ｓ１２０７のいずれのステップにおいても画像表示を停止することができる。【００７５】
<実施形態９：効果>  本実施形態は、動画を循環して表示することで、動画の画像数が少なくても画面に動画をいつまでも表示することができる。動画を循環して表示することで、動画の容量を減らすことができ、電子機器の記憶容量を節約することができる。【００７６】
<<実施形態１０>>
<実施形態１０：概念>  本実施形態は、実施形態１から９に基づいて、前記電子機器が携帯電話である動画アイコン表示電子機器に関する。【００７７】
<実施形態１０：構成>  本実施形態での機能ブロックの一例は図１０と同様である。本実施形態では、「動画アイコン表示電子機器」（１０００）が携帯電話である。【００７８】
<実施形態１０：処理の流れ>  本実施形態の処理の流れは、実施形態９と同様なので省略する。【００７９】
<実施形態１０：効果>  携帯電話は画面が小さく、ユーザーにとってどのアイコンが選択されたかわかりにくいため、実施形態１〜９のように、画面に動画アイコン画像を表示することでこの問題を解決することができる。【００８０】
<<実施形態１１>>
<実施形態１１：概要>  実施形態１１について説明する。本実施形態は、選択が検知されたアイコンに対応するアイコン画像情報を加工し、この新アイコン画像情報に基づいてアイコン画像を連続表示する携帯型端末装置である。【００８１】
図１３は、本実施形態の概念の一例を示すものである。図で示した携帯型端末装置の画面上には、４つのアイコンが表示されている。今、利用者が携帯型端末装置のボタンを操作し、右上に位置するカメラのアイコンを選択したとする。携帯型端末装置は、アイコンが選択されたことを検知する（１）。  携帯型端末装置は、保持している４つのアイコン画像情報のうち、選択が検知されたアイコンに対応してカメラのアイコンのアイコン画像情報を取得する（２）。次に、取得したアイコン画像情報を、新アイコン画像情報へと加工する（３）。ここでは、もとのアイコンであるカメラのイメージに対して、星で示す煌めきのイメージが付加されることで新アイコン画像情報へと加工されることとした。  さらに、複数の異なる新アイコン画像情報からなる選択時表示アイコン画像群情報を生成し（４）、生成された選択時表示アイコン画像群情報に含まれる新アイコン画像情報に基づくアイコン画像を連続表示する（５）。選択されたアイコンが煌めいている視覚的効果が得られる。【００８２】
なお、もとのアイコン画像情報を加工して得られる新アイコン画像情報や、複数の新アイコン画像情報からなる選択時表示アイコン画像群情報は、携帯型端末装置内部に保存しないため、メモリを消費することはない、
<実施形態１１：構成>  本実施形態での機能ブロックの一例を図１４に示した。【００８３】
図１４に示す本実施形態の「携帯端末装置」（１４００）は、「アイコン画像情報保持部」（１４０１）と、「アイコン選択検知部」（１４０２）と、「選択時表示アイコン画像群情報生成部」（１４０３）と、「選択時表示アイコン画像連続表示部」（１４０４）とからなる。【００８４】
「アイコン画像情報保持部」（１４０１）は、前記画面上に表示すべきアイコンの画像情報を保持する。アイコンは、処理の対象や内容を記号などで表したものであり、先の例ではカメラなどのイメージが該当する。アイコンは、ｊｐｇ、ｇｉｆなどのファイルによって画像表示が実現できる。また、アイコンの画像情報は、アイコンのイメージを画面上に表示するために必要な情報などが該当する。ここで、アイコン画像情報保持部に保持されるのは、先の例では４つのアイコンについてのアイコン画像情報のみであり、加工等して得られる新アイコン画像情報等は保持しない。【００８５】
「アイコン選択検知部」（１４０２）は、前記画面上のアイコンが選択されたことを検知する。利用者が携帯型端末装置のボタンを操作し、いずれかのアイコンを選択した場合に、どのアイコンが選択されたのかを検知することができる。【００８６】
「選択時表示アイコン画像群情報生成部」（１４０３）は、アイコン選択検知部（１４０２）で選択が検知されたアイコンに対応するアイコン画像情報を、前記アイコン画像情報保持部（１４０１）から取得して加工し、選択時表示アイコン画像群情報を生成する。「選択時表示アイコン画像群情報」は、アイコン画像情報を加工してできた複数の異なる新アイコン画像情報からなる情報であり、選択時表示アイコン画像連続表示部（１４０４）にて動画として表示できる。【００８７】
「選択時表示アイコン画像連続表示部」（１４０４）は、前記選択時表示アイコン画像群情報生成部（１４０３）で生成された選択時表示アイコン画像群情報に含まれる新アイコン画像情報に基づくアイコン画像を連続表示する。これにより、例えば、選択されたアイコンが星で示す煌めきのイメージを伴うことで、輝いている態様を動画として表示することができる。ここで、星で示す煌めきのイメージは、輝度の大きい部分に対して表示することで輝いている態様を動画として表現できるが、これについては実施形態１９にて詳述する。【００８８】
<実施形態１１：処理の流れ>  図１５は、実施形態１１での処理の流れの一例を示したものである。画面上に表示すべきアイコンの画像情報を保持するアイコン画像情報保持部を有する携帯型端末装置の動作方法は、以下に示すステップよりなる。【００８９】
まず、前記画面上のアイコンが選択されたことを検知するための処理を行う（アイコン選択検知ステップ  Ｓ１５０１）。このとき、検知されたかどうかの判断を行い、検知したとの判断結果の場合には以下のステップを処理し、検知していないとの判断結果の場合には処理を終了するとしてもよい。【００９０】
次に、前記アイコン選択検知ステップ（Ｓ１５０１）で選択が検知されたアイコンに対応するアイコン画像情報を、前記アイコン画像情報保持部から取得して加工し、複数の異なる新アイコン画像情報からなる選択時表示アイコン画像群情報を生成する（選択時表示アイコン画像群情報生成ステップ  Ｓ１５０２）。最後に、前記選択時アイコン画像群情報生成ステップ（Ｓ１５０２）にて生成された選択時表示アイコン画像群情報に含まれる新アイコン画像を連続出力する（選択時表示アイコン画像連続表示ステップ  Ｓ１５０３）。【００９１】
以上の処理は、計算機に実行させるためのプログラムで実行することができ、また、このプログラムを計算機によって読み取り可能な記録媒体に記録することができる。（本明細書の全体を通して同様である。）
<実施形態１１：効果>  本実施形態は、選択が検知されたアイコンに対応するアイコン画像情報を加工し、この新アイコン画像情報に基づいてアイコン画像を連続表示する携帯型端末装置である。携帯端末装置の表示画面は小さく、どのアイコンが選択されたのかが見えづらい場合があるが、本携帯端末装置によれば、選択されたアイコンが煌く等の視覚的効果を伴い表示されるため、使いやすい。また、加工後の新アイコン画像情報等は携帯型端末装置に保持しないことから、携帯端末装置の少ないメモリを消費することなく動画の表示を実現でき、効率的である。【００９２】
<<実施形態１２>>
<実施形態１２：概要>  実施形態２について説明する。本実施形態は、アイコン画像の一表示ごとに選択時表示アイコン画像群情報が順次生成され、表示終了後消去されることに特徴を有する携帯型端末装置である。【００９３】
<実施形態１２：構成>  本実施形態での機能ブロックの一例は図１４と同様である。【００９４】
図１４に示す「携帯端末装置」（１４００）は、「アイコン画像情報保持部」（１４０１）と、「アイコン選択検知部」（１４０２）と、「選択時表示アイコン画像群情報生成部」（１４０３）と、「選択時表示アイコン画像連続表示部」（１４０４）とからなる。【００９５】
「選択時表示アイコン画像群情報生成部」（１４０３）は、選択時表示アイコン画像連続表示部（１４０４）での一表示ごとに選択時表示アイコン画像群情報を順次生成し、表示終了後消去する。【００９６】
図１６は、表示終了後消去される選択時表示アイコン画像群情報の一例を示した。選択時表示アイコン画像群情報が表示終了後消去されるため、携帯端末装置の少ないメモリを消費することなく、選択時表示アイコン画像連続表示部（１４０４）にて動画の表示を実現できる。その他各部の処理は実施形態１１と同様である。【００９７】
<実施形態１２：効果>  本実施形態は、アイコン画像の一表示ごとに選択時表示アイコン画像群情報が順次生成され、表示終了後消去されることに特徴を有する携帯型端末装置である。表示終了後に選択時表示アイコン画像群情報が消去され携帯型端末装置に保持しないことから、携帯端末装置の少ないメモリを消費することなく動画の表示を実現でき、効率的である。また、単一のアイコン画像情報に基づいて動画の表示を実現できることから、利用者が撮影等した画像を用いてオリジナルのアイコンを作成し動画として表示することも可能となり、携帯型端末装置の付加的機能として利用価値があるといえる。【００９８】
<<実施形態１３>>
<実施形態１３：概要>  実施形態１３について説明する。本実施形態は、選択が検知されたアイコンに対して部分的な加工を行うことに特徴を有する携帯型端末装置である。【００９９】
<実施形態１３：構成>  本実施形態での機能ブロックの一例を図１７に示す。【０１００】
図１７に示す本実施形態の「携帯端末装置」（１７００）は、「アイコン画像情報保持部」（１７０１）と、「アイコン選択検知部」（１７０２）と、「選択時表示アイコン画像群情報生成部」（１７０３）と、「選択時表示アイコン画像連続表示部」（１７０４）とからなり、選択時表示アイコン画像群情報生成部（１７０３）は、さらに、「部分加工手段」（１７０５）を有する。【０１０１】
「部分加工手段」（１７０５）は、アイコン選択検知部（１７０２）で選択が検知されたアイコンの部分的な加工をする。「部分的な加工」とは、アイコンの一部に対する色や輝度の変更や、イメージの付加などをいい、アイコンが煌めく表示や、波紋が広がる表示が実現できる。図では、アイコンに対して波紋が広がる表示を実現する加工を示した。波紋の形成については、実施形態２１にて詳述する。その他各部の処理については実施形態１１、１２と同様である。【０１０２】
<実施形態１３：効果>  本実施形態は、選択が検知されたアイコンに対して部分的な加工を行うことに特徴を有する携帯型端末装置である。アイコンの一部に対して加工を行うことで、アイコンの全体に対して加工を行うよりも自然な動きの動画表示を実現できる。また、加工する部分が一部のみであることで、携帯端末装置における処理負担を軽くし、処理を高速化することができるという効果を得られる。【０１０３】
<<実施形態１４>>
<実施形態１４：概要>  実施形態１４について説明する。本実施形態は、選択が検知されたアイコンに対応しないアイコン画像情報を加工し、この新アイコン画像情報に基づいてアイコン画像を連続表示することに特徴を有する携帯型端末装置である。【０１０４】
<実施形態１４：構成>  本実施形態での機能ブロックの一例を図１８に示す。【０１０５】
図１８に示す本実施形態の「携帯端末装置」（１８００）は、「アイコン画像情報保持部」（１８０１）と、「アイコン選択検知部」（１８０２）と、「選択時表示アイコン画像群情報生成部」（１８０３）と、「選択時表示アイコン画像連続表示部」（１８０４）と、さらに、「非選択時表示アイコン画像群情報生成部」（１８０５）を有する。【０１０６】
「非選択時表示アイコン画像群情報生成部」（１８０５）は、アイコン選択検知部（１８０２）で選択が検知されたアイコンに対応しないアイコン画像情報を、前記アイコン画像情報保持部（１８０１）から取得して加工し、複数の異なる新アイコン画像情報からなる非選択時表示アイコン画像群情報を生成する。今、カメラのアイコンの選択が検知されたとすると、それ以外のアイコンである音符、手紙、時計のアイコンがアイコン画像情報保持部から取得され、様々な加工が施される。例えば、選択されたカメラのアイコンが光る態様で表されるとすれば、隣接する音符等のアイコンはカメラのアイコンの放つ光線を横から受ける場合があるが、その態様を表示できる複数の新アイコン画像情報を生成するために、もとの音符等のアイコン画像に光線を受けて変化する加工を施すことなどが該当する。【０１０７】
生成された非選択時表示アイコン画像群情報は、選択時表示アイコン画像群情報生成部（１８０３）にて同じく生成された選択時表示アイコン画像群情報と共に、選択時表示アイコン画像連続表示部（１８０４）にて表示されるとしてもよい。その他各部の処理については実施形態１１から１３と同様である。【０１０８】
<実施形態１４：効果>  本実施形態は、選択が検知されたアイコンに対応しないアイコン画像情報を加工し、この新アイコン画像情報に基づいてアイコン画像を連続表示する携帯型端末装置である。選択されたアイコンだけでなく、選択されていないアイコンに対しても画像の加工が可能となることで、アイコン選択に伴う動画表示のバリエーションを高め、選択されたアイコンをより強調することができる。【０１０９】
<<実施形態１５>>
<実施形態１５：概要>  実施形態５について説明する。本実施形態は、選択が検知された場合に、背景を構成する背景画像情報の表示を変更することに特徴を有する携帯型端末装置である。【０１１０】
<実施形態１５：構成>  本実施形態での機能ブロックの一例を図１９に示す。図１９は、実施形態１１の図１４を基本とした。【０１１１】
図１９に示す本実施形態の「携帯端末装置」（１９００）は、「アイコン画像情報保持部」（１９０１）と、「アイコン選択検知部」（１９０２）と、「選択時表示アイコン画像群情報生成部」（１９０３）と、「選択時表示アイコン画像連続表示部」（１９０４）と、さらに、「背景画像情報表示部」（１９０５）と、「背景画像情報表示変更部」（１９０６）とを有する。【０１１２】
「背景画像情報表示部」（１９０５）は、背景画像情報を表示する。「背景画像情報」は、前記画面上のアイコンを表示していない部分である背景を構成する画像である。図では、最初背景を構成する画像は水玉模様で示した。【０１１３】
「背景画像情報表示変更部」（１９０６）は、前記アイコン選択検知部（１９０２）で選択が検知された場合に、前記背景画像情報表示部（１９０５）の表示を変更する。今、カメラのアイコンの選択が検知されたとすると、背景画像情報に変更を加えて、背景を構成する画像を変える。ここでは、アイコンが選択されたことで背景画像がチェック柄に変更する場面を示した。なお、図ではアイコンの周辺領域の部分の背景画像のみが変更する態様としたが、画面上の背景の全体が変更する場合もある。また、選択時表示アイコン画像連続表示部（１９０４）にてアイコン画像自体も新アイコン画像情報に基づいて表示されるので、アイコンと背景が合成された画面の一部（または全体）について、アイコンの選択の検知に応じて表示が変更するとしてもよい。その他各部の処理については実施形態１から４と同様である。【０１１４】
<実施形態１５：効果>  本実施形態は、選択が検知された場合に、背景を構成する背景画像情報の表示を変更することに特徴を有する携帯型端末装置である。選択されたアイコンだけでなく、背景の画像に対しても加工が可能となることで、アイコン選択に伴う動画表示のバリエーションを高め、選択されたアイコンをより強調することができる。【０１１５】
<<実施形態１６>>
<実施形態１６：概要>  実施形態１６について説明する。本実施形態は、検知されたアイコンに対応するアイコン画像情報のうち、アイコンの色を示す情報であるアイコン色情報の全部または一部を変更することに特徴を有する携帯型端末装置である。【０１１６】
<実施形態１６：構成>  本実施形態での機能ブロックの一例を図２０に示す。図２０は、実施形態１１の図１４を基本とした。【０１１７】
図２０に示す本実施形態の「携帯端末装置」（２０００）は、「アイコン画像情報保持部」（２００１）と、「アイコン選択検知部」（２００２）と、「選択時表示アイコン画像群情報生成部」（２００３）と、「選択時表示アイコン画像連続表示部」（２００４）とからなり、さらに、選択時表示アイコン画像群情報生成部（２００３）は「アイコン色情報変更手段」（２００５）を有する。【０１１８】
「アイコン色情報変更手段」（２００５）は、前記選択が検知されたアイコンに対応するアイコン画像情報のうち、アイコンの色を示す情報であるアイコン色情報の全部または一部を変更する。アイコン色情報は、R（Ｒｅｄ：赤）、G（Ｇｒｅｅｎ：緑）、Ｂ（Ｂｌｕｅ：青）の光の三原色を使って表示される場合などが想定される。選択前には黒であったアイコンが選択されることで赤に変わるとすると、アイコン色情報は黒の色情報（ＲＧＢ：００００００）のＲ成分の値を増やすことで、赤の色情報（ＲＧＢ：ＦＦ００００）へと変更できる。アイコン色情報の全部または一部を変更することで多彩な色を実現できる。【０１１９】
また、アイコン画像の一部分のアイコン色情報を変更することで、アイコン画像を多様に変化させることも可能である。例えば、輪状に徐々に色の濃淡を変化させれば、アイコンに波紋が広がる態様などが実現できる。これについては、実施形態２１にて詳述する。【０１２０】
その他各部の処理については実施形態１１から１５と同様である。【０１２１】
<実施形態１６：効果>  本実施形態は、検知されたアイコンに対応するアイコン画像情報のうち、アイコンの色を示す情報であるアイコン色情報の全部または一部を変更することに特徴を有する携帯型端末装置である。選択されたアイコン画像の色を変更することが可能となることで、アイコン選択に伴う動画表示のバリエーションを高め、選択されたアイコンをより強調することができる。【０１２２】
<<実施形態１７>>
<実施形態１７：概要>  実施形態１７について説明する。本実施形態は、検知されたアイコンに対応するアイコン画像情報のうち、アイコンの輝度を示す情報であるアイコン輝度情報の全部または一部を変更することに特徴を有する携帯型端末装置である。【０１２３】
<実施形態１７：構成>  本実施形態での機能ブロックの一例を図２１に示す。図２１は、実施形態１１の図１４を基本とした。【０１２４】
図１８に示す本実施形態の「携帯端末装置」（２１００）は、「アイコン画像情報保持部」（２１０１）と、「アイコン選択検知部」（２１０２）と、「選択時表示アイコン画像群情報生成部」（２１０３）と、「選択時表示アイコン画像連続表示部」（２１０４）とからなり、さらに、選択時表示アイコン画像群情報生成部（２１０３）は「アイコン輝度情報変更手段」（２１０５）を有する。【０１２５】
「アイコン輝度情報変更手段」（２１０５）は、前記選択が検知されたアイコンに対応するアイコン画像情報のうち、アイコンの輝度を示す情報であるアイコン輝度情報の全部または一部を変更する。アイコン輝度情報は、明るさの度合いを示す情報である。またアイコン輝度情報は、アイコンの色情報がＲＧＢの光の三原色を使って表示される場合に、そのＲＧＢで示される各要素の値の合計値などで示すこともできる。選択前には黒（色情報：ＲＧＢ＝００００００）であったアイコンが選択されることで明るい色に変わるとすると、アイコン輝度情報の値を増やす方に変更する。黒の輝度情報は０であるが、これを２５６に変更すると、赤などになり黒よりも明るいアイコンの表示が実現できる。また、アイコン画像の一部分のアイコン輝度情報を変更することで、アイコン画像を多様に変化させることも可能である。例えば、ランダムに輝度の高い部分を設け、そこから放射状に輝度を下げていくことで、キラキラと光り輝く態様などが実現できる。これについては、実施形態９にて詳述する。【０１２６】
その他各部の処理については実施形態１１から１５と同様である。【０１２７】
<実施形態１７：効果>  本実施形態は、検知されたアイコンに対応するアイコン画像情報のうち、アイコンの輝度を示す情報であるアイコン輝度情報の全部または一部を変更することに特徴を有する携帯型端末装置である。選択されたアイコン画像の輝度を変更することが可能となることで、アイコン選択に伴う動画表示のバリエーションを高め、選択されたアイコンをより強調することができる。【０１２８】
<<実施形態１８>>
<実施形態１８：概要>  実施形態１８について説明する。本実施形態は、アイコン画像情報を取得し、取得したアイコン画像情報を、アイコン画像情報保持部に保持することに特徴を有する携帯型端末装置である。【０１２９】
<実施形態１８：構成>  本実施形態での機能ブロックの一例を図２２に示す。図２２は、実施形態１１の図１４を基本とした。【０１３０】
図２２に示す本実施形態の「携帯端末装置」（２２００）は、「アイコン画像情報保持部」（２２０１）と、「アイコン選択検知部」（２２０２）と、「選択時表示アイコン画像群情報生成部」（２２０３）と、「選択時表示アイコン画像連続表示部」（２２０４）と、さらに、「アイコン画像情報取得部」（２２０５）を有する。【０１３１】
「アイコン画像情報取得部」（２２０５）は、アイコンを表示するための情報であるアイコン画像情報を取得する。アイコン画像は、携帯端末装置に備えられたカメラ機能などを用いての撮影や、携帯端末装置の機能を用いての作成、画像が添付されたメールの受信などによって入手することが想定できる。これらの画像からアイコンを表示するためのアイコン画像情報を取得する。図では、カメラで撮影した猫をアイコン画像とする例を示した。ここでは、猫を撮影したとする。猫の画像から取得したアイコン画像情報をアイコン画像情報とし、アイコン画像情報保持部（２２０１）に保持する。アイコンの選択が行われていない通常時から、携帯端末装置の画面上には、他のアイコンとともに猫のアイコンも表示されることになる。猫のアイコンの選択がアイコン選択検知部（２２０２）にて検知された場合には、選択時表示アイコン画像群情報生成部（２２０３）にて猫の画像のアイコン画像情報を加工し、複数の新アイコン画像情報からなる選択時表示アイコン画像群情報を生成する。これにより、選択時表示アイコン画像連続表示部（２２０４）では、猫のアイコン画像が例えばキラキラと輝くような表示が行われる。その他各部の処理は実施形態１１から１７と同様である。【０１３２】
<実施形態１８：効果>  本実施形態は、アイコンを表示するためのアイコン画像情報を取得することに特徴を有する携帯型端末装置である。携帯型端末装置で撮影等して取得した画像を用いて、利用者が自由にアイコンを作成することができ、利用者を飽きさせることなく携帯型端末装置の利用度を高める効果を有する。また、アイコンが選択されると、動的な視覚的効果を伴いながら表示されるので、小さな画面しか備わっていない携帯型端末装置であっても、どのアイコンが選択されたのかを容易に判別できる。【０１３３】
<<実施形態１９>>
<実施形態１９：概要>  実施形態９について説明する。本実施形態は、選択が検知されたアイコンの画像中、輝度が大きい部分を抽出し、その抽出したアイコン画像内アイテムに対してキラキラマークを表示することに特徴を有する携帯型端末装置である。【０１３４】
<実施形態１９：構成>  本実施形態での機能ブロックの一例を図２３に示す。図２３は、実施形態１１の図１４を基本とした。図２０に示す本実施形態の「携帯端末装置」（２３００）は、「アイコン画像情報保持部」（２３０１）と、「アイコン選択検知部」（２３０２）と、「選択時表示アイコン画像群情報生成部」（２３０３）と、「選択時表示アイコン画像連続表示部」（２３０４）と、からなり、さらに、選択時表示アイコン画像群情報生成部（２３０３）は「アイコン画像内アイテム抽出手段」（２３０５）と、「キラキラマーク表示手段」（２３０６）と、を有する。【０１３５】
「アイコン画像内アイテム抽出手段」（２３０５）は、アイコン選択検知部（２３０２）で選択が検知されたアイコンの画像中、輝度が大きい部分を抽出する。輝度が大きい部分は、実施形態７にて変更したアイコン輝度情報に基づいて抽出されることなどが想定される。あるいは、もともとアイコン画像内で輝度が高い部分（例えば、カメラのレンズ部分など）を抽出するとしてもよい。【０１３６】
「キラキラマーク表示手段」（２３０６）は、前記アイコン画像内アイテム抽出手段（２３０５）にて抽出されたアイコン画像内アイテムに対してキラキラマークを表示する。「キラキラマーク」は、選択されたアイコンに対して重畳的に付加する一定形状のマークのことをいい、星型、ダイヤ型、放射状光線型、アイコンを囲む枠型など様々なマークが該当する場合がある。【０１３７】
図２４は、輝度の高いアイコン画像内アイテムを抽出し、キラキラマークを付加する処理の一例を模式的に示したものである。図上部では、アイコン画像の画素ごとに輝度の値（図中に示した「１６」「２００」等）を算出し、最も輝度が高い画素部分を割り出す処理を示した。最も輝度が高い画素部分が複数存在する場合もある。図下部では、抽出された最も輝度が高い画素部分のアイコン画像内アイテムに対してキラキラマークを付加する処理を示した。最も輝度が高い画素にキラキラマークの中心が表示される。【０１３８】
輝度がランダムに変更される場合には、次の輝度算出ステップに入る際などに応じてキラキラマークを削除し、上記処理を繰り返す。キラキラマークが順次、表示・削除を繰り返すことで、アイコン画像が煌く様子が実現できる。その他各部の処理については実施形態１１から１８と同様である。【０１３９】
<実施形態１９：効果>  本実施形態は、選択が検知されたアイコンの画像中、輝度が大きい部分を抽出し、その抽出したアイコン画像内アイテムに対してキラキラマークを表示することに特徴を有する携帯型端末装置である。輝度が大きい部分にキラキラマークが表示されれば、明るい部分をより強調できることになり、キラキラとした感じを自然に向上させることができる。【０１４０】
<<実施形態２０>>
<実施形態２０：概要>  実施形態２０について説明する。本実施形態は、キラキラマークが、前回選択が検知されたアイコンから、今回選択が検知されたアイコンに対して飛行する形態で移動して表示されることに特徴を有する携帯型端末装置である。【０１４１】
<実施形態２０：構成>  本実施形態での機能ブロックの一例を図２５に示す。【０１４２】
図２５に示す本実施形態の「携帯端末装置」（２５００）は、「アイコン画像情報保持部」（２５０１）と、「アイコン選択検知部」（２５０２）と、「選択時表示アイコン画像群情報生成部」（２５０３）と、「選択時表示アイコン画像連続表示部」（２５０４）と、からなる。また、選択時表示アイコン画像群情報生成部（２５０３）は「アイコン画像内アイテム抽出手段」（２５０５）と、「キラキラマーク表示手段」（２５０６）とを有し、さらに、キラキラマーク表示手段（２５０６）は、「飛行キラキラ表示器」（２５０７）を有する。【０１４３】
「飛行キラキラ表示器」（２５０７）は、前記キラキラマーク表示手段（２５０６）により表示されるキラキラマークが、アイコン選択検知部（２５０２）にて前回選択が検知されたアイコンから、アイコン選択検知部（２５０２）にて今回選択が検知されたアイコンに対して飛行する形態で移動して表示されるようにするための処理を行う。【０１４４】
図２３は、キラキラマークが飛行する処理の一例を模式的に示したものである。前回選択が検知されたアイコン（時計のアイコン）において、キラキラマークを表示したアイコン画像内アイテムから、今回選択が検知されたアイコン（カメラのアイコン）の画像中の輝度が大きい部分を抽出したアイコン画像内アイテムへと、キラキラマークが飛行する。このとき、キラキラマークが飛行するルートは、直線的に遷移する（ａ）としてもよいし、ランダムに浮遊しながら遷移する（ｂ）としてもよい。【０１４５】
図２７は、キラキラマークが飛行する処理の別の例を示したものである。前回キラキラマークを表示したアイコン画像内アイテムが含まれるアイコンが時計のアイコンであることを判別し、今回選択が検知されたカメラのアイコンに対して、キラキラマークとして破線で囲まれた枠型が飛行する。その他各部の処理は実施形態１９と同様である。【０１４６】
<実施形態２０：効果>  本実施形態は、キラキラマークが、前回選択が検知されたアイコンから、今回選択が検知されたアイコンに対して飛行する形態で移動して表示されることに特徴を有する携帯型端末装置である。これにより、キラキラマークが比較的長く表示されることから、どのアイコンが選択されたのかの判別が容易になる。【０１４７】
<<実施形態２１>>
<実施形態２１：概要>  実施形態２１について説明する。本実施形態は、選択が検知されたアイコンの画像中に波紋を形成することに特徴を有する携帯型端末装置である。【０１４８】
<実施形態２１：構成>  本実施形態での機能ブロックの一例を図２８に示す。図２８は実施形態１１の図１４を基本とした。【０１４９】
図２５に示す本実施形態の「携帯端末装置」（２８００）は、「アイコン画像情報保持部」（２８０１）と、「アイコン選択検知部」（２８０２）と、「選択時表示アイコン画像群情報生成部」（２８０３）と、「選択時表示アイコン画像連続表示部」（２８０４）と、からなり、さらに、選択時表示アイコン画像群情報生成部（２８０３）は「波紋形成手段」（２８０５）を有する。【０１５０】
「波紋形成手段」（２８０５）は、アイコン選択検知部（２８０２）で選択が検知されたアイコンの画像中に波紋を形成する。図２９は、波紋表示の一例を示したものである。例えば、図の左側の斜線で覆った部分のアイコン画像の色の濃淡や輝度の情報を変更させることで、右側の表示が実現できる。アイコン画像の色等を変更する箇所を輪状に外に遷移させると、２段目、３段目のような態様となり、アイコンに波紋が広がる様子が実現できる。その他各部の処理は実施形態１１から２０と同様である。【０１５１】
<実施形態２１：効果>  本実施形態は、選択が検知されたアイコンの画像中に波紋を形成することに特徴を有する携帯型端末装置である。選択されたアイコン画像に対して波紋を形成することが可能となることで、アイコン選択に伴う動画表示のバリエーションを高め、選択されたアイコンをより強調することができる。【０１５２】
<<実施形態２２>>
<実施形態２２：概要>  実施形態２２について説明する。本実施形態は、電話機能を有することに特徴を有する携帯型端末装置である。【０１５３】
<実施形態２２：構成>  本実施形態での機能ブロックの一例は図２２と同様である。【０１５４】
図２２に示す「携帯端末装置」（２２００）は、「アイコン画像情報保持部」（２２０１）と、「アイコン選択検知部」（２２０２）と、「選択時表示アイコン画像群情報生成部」（２２０３）と、「選択時表示アイコン画像連続表示部」（２２０４）と、「アイコン画像情報取得部」（２２０５）を有する。携帯端末装置が電話機能を有することで、電話機能に由来するメールなどの通信手段を用いてアイコン画像のやり取りを行うことができる。アイコン画像情報をメールなどに添付することができれば、通信相手から送られたメールを受信し、アイコン画像情報取得部（２２０５）にて、メールからアイコン画像情報を取得する。【０１５５】
その他各部の処理は、実施形態１１から２１と同様である。【０１５６】
<実施形態２２：効果>  本実施形態は、電話機能を有することに特徴を有する携帯型端末装置である。電話機能に由来するメールなどの通信手段を用いて、他者とアイコン画像のやり取りができれば、アイコンのバリエーションが広がり、携帯型端末装置自体の利用度も高まることが期待できる。
【図面の簡単な説明】
【０１５７】
【図１】実施形態１を説明するための概念図。
【図２】実施形態１を説明するための機能ブロック図。
【図３】実施形態１の処理の流れを説明する図。
【図４】実施形態２を説明するための機能ブロック図。
【図５】実施形態３を説明するための機能ブロック図。
【図６】実施形態４を説明するための機能ブロック図。
【図７】実施形態５を説明するための機能ブロック図。
【図８】実施形態５の処理の流れを説明する図。
【図９】実施形態６の説明するための概念図。。
【図１０】実施形態７を説明するための機能ブロック図。
【図１１】実施形態７の処理の流れを説明する図。
【図１２】実施形態９の処理の流れを説明する図。
【図１３】実施形態１１を説明するための概念図。
【図１４】実施形態１１を説明するための機能ブロック図。
【図１５】実施形態１１の処理の流れを説明する図。
【図１６】実施形態１２を説明するための概念図。
【図１７】実施形態１３を説明するための機能ブロック図。
【図１８】実施形態１４を説明するための機能ブロック図。
【図１９】実施形態１５を説明するための機能ブロック図。
【図２０】実施形態１６を説明するための機能ブロック図。
【図２１】実施形態１７を説明するための機能ブロック図。
【図２２】実施形態１８を説明するための機能ブロック図。
【図２３】実施形態１９を説明するための機能ブロック図。
【図２４】実施形態１９を説明するための概念図。
【図２５】実施形態２０を説明するための機能ブロック図。
【図２６】実施形態２０における表示の一例を示した図。
【図２７】実施形態２０における表示の別の例を示した図。
【図２８】実施形態２１を説明するための機能ブロック図。
【図２９】実施形態２１における表示の一例を示した図。
【図３０】実施形態６を説明するための機能ブロック図。
【符号の説明】
【０１５８】
１４００    携帯型端末装置
１４０１    アイコン画像情報保持部
１４０２    アイコン選択検知部
１４０３    選択時表示アイコン画像群情報生成部
１４０４    選択時表示アイコン画像連続表示部
【図１】
2005101172.tif 000002
【図２】
2005101172.tif 000003
【図３】
2005101172.tif 000004
【図４】
2005101172.tif 000005
【図５】
2005101172.tif 000006
【図６】
2005101172.tif 000007
【図７】
2005101172.tif 000008
【図８】
2005101172.tif 000009
【図９】
2005101172.tif 000010
【図１０】
2005101172.tif 000011
【図１１】
2005101172.tif 000012
【図１２】
2005101172.tif 000013
【図１３】
2005101172.tif 000014
【図１４】
2005101172.tif 000015
【図１５】
2005101172.tif 000016
【図１６】
2005101172.tif 000017
【図１７】
2005101172.tif 000018
【図１８】
2005101172.tif 000019
【図１９】
2005101172.tif 000020
【図２０】
2005101172.tif 000021
【図２１】
2005101172.tif 000022
【図２２】
2005101172.tif 000023
【図２３】
2005101172.tif 000024
【図２４】
2005101172.tif 000025
【図２５】
2005101172.tif 000026
【図２６】
2005101172.tif 000027
【図２７】
2005101172.tif 000028
【図２８】
2005101172.tif 000029
【図２９】
2005101172.tif 000030
【図３０】
2005101172.tif 000031
【国際調査報告】
2005101172.tif 000032
2005101172.tif 000033
2005101172.tif 000034
2005101172.tif 000035
2005101172.tif 000036
2005101172.tif 000037